(57)【要約】【課題】  光ディスクを収容するディスク収容ケースであって、操作者が光ディスクを手で把持することなく、ディスク収容ケースに収容された光ディスクをディスク装置にロードさせ、或は、ディスク装置内の光ディスクをイジェクトさせてディスク収容ケースに収容させることができるディスク装置を提供する。【解決手段】  ディスク収容ケース１のディスク挿入口１４をディスク装置１０１のスリット１０３に対向させた時に、ディスク収容ケース１の前面に設けられたイジェクト釦操作手段１０の釦操作部１８ｂがディスク装置１０１のイジェクト釦１０５を操作する。これによりディスク装置内のローディング機構が作動して光ディスクＤがディスク装置１０１から排出され、ディスク収容ケース内に収容される。【選択図】  図１０
2006179077.tif 000002
【特許請求の範囲】
【請求項１】
筐体の一部に形成されたディスク挿入用スリットと、該スリットから挿入されたディスク状記録媒体に対して情報の記録及び／又は再生を行う記録／再生手段と、該スリットの近傍に設けられており筐体内のディスク状記録媒体をイジェクトさせるイジェクト釦とを有するディスク装置に挿入可能とされたディスク状記録媒体を収容するディスク収容ケースであって、
前面に設けられたディスク挿入口と、
前記ディスク挿入口から挿入されるディスク状記録媒体を収容するディスク収容部と、
前記ディスク装置の前記スリットに前記ディスク挿入口を対向させた時に前記ディスク装置の前記イジェクト釦を操作するイジェクト釦操作手段と、
を具備してなることを特徴とするディスク収容ケース。
【請求項２】
前記イジェクト釦操作手段は、前記ディスク装置の前記スリットに前記ディスク挿入口を対向させた時に前記ディスク装置の前記イジェクト釦を操作する釦操作可能状態と、前記イジェクト釦を操作しない非操作状態とに遷移可能に設けられてなることを特徴とする請求項１記載のディスク収容ケース。
【請求項３】
前記イジェクト釦操作手段は、前記ディスク装置の筐体に当接可能に設けられた弾性部材を備えてなり、前記ディスク装置の前記スリットに前記ディスク挿入口を対向させた時、前記弾性部材が弾性変形する前には前記ディスク装置の前記イジェクト釦を操作せず、前記弾性部材を弾性変形させることによって前記ディスク装置の前記イジェクト釦を操作するよう構成されてなることを特徴とする請求項１記載のディスク収容ケース。
【請求項４】
第１の位置と第２の位置との間を移動可能に設けられた排出操作部と、該排出操作部が第１の位置から第２の位置への操作されたことに応じて前記ディスク収容部に収容されているディスク状記録媒体を前記ディスク挿入口から押し出す排出駆動部とを備えてなることを特徴とする請求項１乃至３記載のディスク収容ケース。
【発明の詳細な説明】
【技術分野】
【０００１】
本発明は、ディスク状記録媒体を収容可能に構成されたディスク収容ケースに関するものである。
【背景技術】
【０００２】
ＣＤやＤＶＤなどのディスク状記録媒体（以下、光ディスクという）を収容するディスク収容ケース９０は、図１４に示すように、光ディスクＤを収容するディスク収容部９１の中央に光ディスクＤのチャッキングホールに嵌入するチャッキング部９２が設けられたケース本体９３と、ケース本体９３に回動可能に取り付けられディスク収容部９１を開閉する蓋体９４とから構成される。
【０００３】
一方、光ディスクＤを記録／再生するためのディスク装置としては、いわゆるスロットイン方式が採用される傾向にあり、ディスク装置の小型化、薄型化に好適なものとなっている。スロットイン方式のディスク装置は、筐体の一部に、光ディスクＤを挿入するためのディスク挿入用スリットと筐体内のディスクをイジェクトさせるためのイジェクト釦とを備えている。そして、操作者がディスク挿入用スリットから光ディスクＤを挿入すると、以後、ディスク装置内のローディング機構が作動して光ディスクＤを自動的にロードし、また、操作者がイジェクト釦を操作すると、ディスク装置内のローディング機構が作動して光ディスクＤをディスク挿入用スリットから自動的にイジェクトする。
【０００４】
上述の構成のディスク収容ケース９０に収容された光ディスクＤをディスク装置にロードさせる際には、操作者は、まずディスク収容ケース９０のケース本体９３に対して蓋体９４を回動させることによりケース本体９３の上面のディスク収容部９１を開成させた後、光ディスクＤを手で把持し、光ディスクＤをチャッキング部９２から取り外す。この後、把持した光ディスクＤをディスク装置のディスク挿入スリットに挿入すると、前述した通りディスク装置内のローディング機構が作動して光ディスクＤが自動的にロードされる。
【０００５】
また、ディスク装置内の光ディスクＤをイジェクトさせてディスク収容ケース９０に収容させる際には、操作者は、まずディスク装置のイジェクト釦を操作してディスク装置内の光ディスクＤをディスク挿入用スリットからイジェクトさせ、イジェクトされた光ディスクＤを把持する。そして把持した光ディスクＤを、チャッキングホールがディスク収容ケース９０のチャッキング部９２に嵌入するようにしてディスク収容部９１に載置する。この後、ケース本体９３に対して蓋体９４を回動させ、ケース本体９３の上面のディスク収容部９１を閉塞することにより、ディスク収容ケース９０への光ディスクＤの収容を完了する。
【特許文献１】特開平９−２１６６７７号公報
【発明の開示】
【発明が解決しようとする課題】
【０００６】
このように構成されたディスク収容ケースでは、ディスク収容ケースに収容された光ディスクをディスク装置にロードさせる際、ならびに、ディスク装置内の光ディスクをイジェクトさせてディスク収容ケースに収容させる際に、操作者が光ディスクを手で把持して作業を行う必要があるため、光ディスクの記録面を手垢で汚したり傷を付けたりしてしまう惧れがあった。
【課題を解決するための手段】
【０００７】
請求項１記載の発明に係るディスク収容ケースは、筐体の一部に形成されたディスク挿入用スリットと、このスリットから挿入されたディスク状記録媒体に対して情報の記録及び／又は再生を行う記録／再生手段と、スリットの近傍に設けられており筐体内のディスク状記録媒体をイジェクトさせるイジェクト釦とを有するディスク装置に挿入可能とされたディスク状記録媒体を収容するディスク収容ケースであって、前面に設けられたディスク挿入口と、ディスク挿入口から挿入されるディスク状記録媒体を収容するディスク収容部と、ディスク装置のスリットにディスク挿入口を対向させた時にディスク装置のイジェクト釦を操作するイジェクト釦操作手段とを具備するように構成したことを特徴とする。
【０００８】
また、請求項２記載の発明は、上記請求項１記載のディスク収容ケースにおいて、イジェクト釦操作手段を、ディスク装置のスリットにディスク挿入口を対向させた時にディスク装置のイジェクト釦を操作する釦操作可能状態と、イジェクト釦を操作しない非操作状態とに遷移可能に設けたことを特徴とする。
また、請求項３記載の発明は、上記請求項１記載のディスク収容ケースにおいて、イジェクト釦操作手段を、ディスク装置の筐体に当接可能に設けられた弾性部材を備え、ディスク装置のスリットにディスク挿入口を対向させた時、弾性部材が弾性変形する前にはディスク装置のイジェクト釦を操作せず、弾性部材を弾性変形させることによってディスク装置のイジェクト釦を操作するよう構成したことを特徴とする。
また、請求項４記載の発明は、上記請求項１乃至請求項３記載のディスク収容ケースにおいて、第１の位置と第２の位置との間を移動可能に設けられた排出操作部と、排出操作部が第１の位置から第２の位置への操作されたことに応じてディスク収容部に収容されているディスク状記録媒体をディスク挿入口から押し出す排出駆動部とを備えるように構成したことを特徴とする。
【発明の効果】
【０００９】
本発明を実施したディスク収容ケースによれば、ディスク収容ケースに収容された光ディスクをディスク装置にロードさせる際、及び／又は、ディスク装置内の光ディスクをイジェクトさせてディスク収容ケースに収容させる際に、操作者が光ディスクに触れる機会を少なくすることができるので、光ディスクの記録面を手垢で汚したり傷を付けたりしてしまうことを防止でき、光ディスクの信頼性を高めることができる。
【発明を実施するための最良の形態】
【００１０】
本発明の実施の形態を図面に基づいて詳細に説明する。
〔第１実施例〕
図１は本発明によるディスク収容ケース１の斜視図であり、図２はその分解斜視図である。ディスク収容ケース１は、直径が１２ｃｍのディスク状記録媒体（以下、光ディスクＤという）を収容するものであり、大略、ケース体３、ホルダ５，６、排出レバー８、イジェクト釦操作手段１０よりなる。
【００１１】
ケース体３は、樹脂製の上ケース体３Ａと下ケース体３Ｂとが接合された構成であり、上ケース体３Ａと下ケース体３Ｂとの間に光ディスクＤを収容するためのディスク収容部１２としての空間が形成される。また、ケース体３の前面には光ディスクＤを収容または排出するためのディスク挿入口１４が形成されている。また、ケース体３の前面左側には図１（Ｂ）に拡大して示すようにガイド部１６が突出成形されており、ケース体３の前面右側にも同形状のガイド部１６が突出成形されている。これら一対のガイド部１６を、図６に示すディスク装置１０１のスリット１０３に係合させることにより、ディスク収容ケース１のディスク挿入口１４とディスク装置１０１のスリット１０３とが対向する。なお、上ケース体３Ａと下ケース体３Ｂは、間にヒンジ構造を介した一体成形物で構成してもよい。
【００１２】
ホルダ５，６は、ディスク収容部１２に収容された光ディスクＤを保持するものであり、内側に光ディスクＤを支持する溝５ａ，６ａを有している。ホルダ５は孔５ｂを下ケース体３Ｂに形成された軸３ａに支持され、ホルダ６は孔６ｂを下ケース体３Ｂに形成された軸３ｂに支持される。ホルダ５，６は、十分に弾性変形可能な樹脂製であり、光ディスクを収容または排出する際には光ディスクＤに押圧されて変形するように構成されている。
【００１３】
排出レバー８は、光ディスクＤを収容部１２内に収容している時にはホルダ５，６と協働してディスクを保持し、収容部１２内の光ディスクＤを排出する時には光ディスクＤの後端部を押圧して光ディスクＤを押し出すものであり、一端に操作者が操作するための排出操作部８ａを有し、他端に光ディスクＤに当接して光ディスクＤを排出方向に押し出す排出駆動部８ｂを有する。そして、排出レバー８は回動軸となる軸孔８ｃを下ケース体３Ｂに形成された軸３ｃに支持されて揺動可能とされている。なお、排出駆動部８ｂは内側に光ディスクＤを支持する溝を備えており、光ディスクＤは、外周縁部が排出レバーの溝及びホルダ５，６の溝５ａ、６ａに侵入した状態で収容部１２内に保持される。また、符号９はディスク表面を保護する為に収容部内に貼り付けられる不織布である。
【００１４】
イジェクト釦操作手段１０は、図６に示すディスク装置１０１のイジェクト釦１０５を操作するものであり、下ケース体３Ｂのディスク挿入口１４近傍に形成された収容部３ｄと、この収容部３ｄにＡ・Ｂ方向移動自在に収容される釦操作部材１８及び操作部材２０からなる。図３はイジェクト釦操作手段１０の構成を示す要部分解斜視図であり、図４（Ａ）及び図５（Ａ）はイジェクト釦操作手段１０を説明する要部下面図、図４（Ｂ）及び図５（Ｂ）はイジェクト釦操作手段１０を説明する要部断面矢視図である。
【００１５】
釦操作部材１８は、本体部１８ａと、本体部１８ａから矢印Ａ方向へ向けて突出する釦操作部１８ｂと、本体部１８ａの側方に設けられた弾性変形可能な腕部１８ｃと、本体部１８ａの中央に設けられた穴部１８ｄと、腕部１８ｃに形成された一対の凸部１８ｅ，１８ｆからなる。また、操作部材２０は、本体部２０ａと、本体部２０ａの下方に突出形成されており、ケース体３の下面側に表出する操作部２０ｂと、本体部２０ａの上方に突出形成された係合部２０ｃよりなる。そして、操作部材２０の係合部２０ｃが釦操作部材１８の穴部１８ｄに係合することにより、操作部材２０と釦操作部材１８は一体化される。また、収容部３ｄには、釦操作部材１８の凸部１８ｅ，１８ｆに係合可能とされた一対の突状３ｅ，３ｆが形成されている。
【００１６】
イジェクト釦操作手段１０は、図４に示す釦操作可能状態と、図５に示す非操作状態とに切り換わる。図４に示す釦操作可能状態において、操作部材２０と釦操作部材１８の組立体は、収容部３ｄ内でＡ方向側に移動しており、釦操作部材１８の一対の凸部１８ｅ，１８ｆは、収容部３ｄの突状３ｅ，３ｆによりＡ方向側に位置決めされている。また、釦操作部材１８の釦操作部１８ｂは収容部３ｄから矢印Ａ方向に突出している。一方、図５に示す非操作状態において、操作部材２０と釦操作部材１８との組立体は、収容部３ｄ内でＢ方向側に移動しており、釦操作部材１８の一対の凸部１８ｅ，１８ｆは、収容部３ｄの突状３ｅ，３ｆによりＢ方向側に位置決めされている。また、釦操作部材１８の釦操作部１８ｂは収容部３ｄ内に収容されている。
【００１７】
なお、図４に示した釦操作可能状態と、図５に示した非操作状態との切り換えを行う際には、ユーザーはケース体３の下面側に表出する操作部２０ｂを操作する。これにより、釦操作部材１８の腕部１８ｃが弾性変形し、釦操作部材１８の凸部１８ｅ，１８ｆが収容部３ｄ内の突状３ｅ，３ｆを乗り越え、釦操作可能状態と非操作状態とが切り換わる。
【００１８】
次に、光ディスクＤに対して情報の記録／再生を行うディスク装置１０１の構成について説明する。図６はディスク装置１０１の斜視図であり、図７はディスク装置１０１に対する光ディスクＤのローディング／イジェクトを説明する平面図である。ディスク装置１０１は、いわゆるスロットイン方式が採用されており、筐体１０２の前面に、光ディスクＤを挿入するためのディスク挿入用スリット１０３と、筐体内の光ディスクＤをイジェクトさせるためのイジェクト釦１０５とを備えている。また、筐体１０２内部には、光ディスクを支持して回転するターンテーブル１０７および光ディスクに光を照射して情報の読み出し及び／又は書き込みを行う光ピックアップ１０８を備えた記録／再生手段１１０が配されている。そして、図７（Ａ）に示すように、操作者がディスク挿入用スリット１０３から光ディスクＤの約半分を挿入すると、以後、ディスク装置１０１内のローディング機構（図示せず）が作動して光ディスクＤを自動的にロードし、図７（Ｂ）に示す状態で、記録／再生手段１１０により光ディスクＤに対する情報の記録または再生を行う。また、図７（Ｂ）に示す状態から操作者がイジェクト釦１０５を操作すると、前述のローディング機構が作動して光ディスクＤをディスク挿入用スリット１０３から自動的にイジェクトし、図７（Ｃ）に示すように、光ディスクＤの約半分を装置外部へ突出させる。
【００１９】
次に、図８に示すように、光ディスクＤがディスク収容ケース１に収容されている状態において、この光ディスクＤをディスク装置１０１にローディングする際の動作について説明する。まず、イジェクト釦操作手段１０の状態を確認し、釦操作可能状態になっている場合には操作部２０ｂを操作して非操作状態に切り換える。そして、ディスク収容ケース１の前面をディスク装置１０１の前面に対向させ、ディスク収容ケース１の前面に設けられたガイド部１６をディスク装置１０１のディスク挿入スリット１０３に係合させる。これにより、ディスク収容ケース１のディスク挿入口１４とディスク装置１０１のディスク挿入スリット１０３の位置が一致する。
【００２０】
そして、図９（Ａ）に示すように、操作者が排出レバー８の排出操作部８ａを矢印Ｐ方向に押圧すると、排出レバー８の排出駆動部８ｂが光ディスクＤを押圧駆動することにより、光ディスクＤがホルダ５，６を外側へ変形させつつ矢印Ａ方向に移動する。続いて、外側へ変形したホルダ５，６が、自身の弾性復元力により内側に変位することにより、光ディスクが更に矢印Ａ方向に移動する。そして、図９（Ｂ）に示す状態に至ると、ディスク装置内のローディング機構が作動して、以後、光ディスクＤはローディング機構により自動的にディスク装置内にローディングされる。なお、この時にはイジェクト釦操作手段１０が非操作状態となっているので、図９（Ｃ）に示すように、釦操作部１８ｂとイジェクト釦１０５は離間しており、ディスク装置１０１のイジェクト釦１０５が操作されることはない。
【００２１】
このように、操作者は、光ディスクＤに触れることなく、ディスク収容ケース１に収容されている光ディスクＤをディスク装置１０１にローディングさせることができるので、光ディスクＤの記録面を手垢で汚したり傷を付けたりしてしまうことを防止でき、光ディスクＤの信頼性を高めることができる。
【００２２】
次に、ディスク装置１０１内の光ディスクＤをイジェクトさせ、ディスク収容ケース１内に収容する際の動作について説明する。まず、イジェクト釦操作手段１０の状態を確認し、非操作状態になっている場合には操作部２０ｂを操作して釦操作可能状態に切り換える。そして、ディスク収容ケース１の前面をディスク装置１０１の前面に対向させ、ディスク収容ケース１の前面に設けられたガイド部１６をディスク装置１０１のディスク挿入スリット１０３に係合させる。これにより、ディスク収容ケース１のディスク挿入口１４とディスク装置１０１のディスク挿入スリット１０３の位置が一致する。更にこのとき、図１０（Ｂ）に示すように、釦操作可能状態となっているイジェクト釦操作手段１０の釦操作部１８ｂがディスク装置１０１のイジェクト釦１０５を押圧操作するため、ディスク装置１０１内のローディング機構が作動する。これにより、光ディスクＤが矢印Ｂ方向にイジェクトされ、図１０（Ａ）に示すように、光ディスクＤの約半分がディスク収容ケース１に収容される。この後、操作者は光ディスクＤが半分収容されたディスク収容ケース１をディスク装置１０１から引き離し、光ディスクＤの外周縁を矢印Ｂ方向に押圧する。これにより、光ディスクＤがホルダ５，６を外側へ変形させつつ矢印Ｂ方向に移動し、続いて、外側へ変形したホルダ５，６が、自身の弾性復元力によって内側に変位することにより、光ディスクが更に矢印Ｂ方向に引き込まれ、図８に示すように光ディスクＤは全体がディスク収容ケース１内に収容されることになる。
【００２３】
このように、操作者は、最後に外周縁を押圧する以外は光ディスクＤに触れることなく、ディスク装置１０１内にローディングされている光ディスクＤをディスク収容ケース１に収容させることができるので、光ディスクＤの記録面を手垢で汚したり傷を付けたりしてしまうことを防止でき、光ディスクＤの信頼性を高めることができる。
【００２４】
〔第２実施例〕
次に、本発明の第２実施例のディスク収容ケース４０について説明する。図１１（Ａ）はディスク収容ケース４０の正面図であり、図１１（Ｂ）はディスク収容ケース４０の裏面図であり、図１１（Ｃ）はディスク収容ケース４０のイジェクト釦操作手段４１を示す側面断面図である。また、図１２はイジェクト釦操作手段４１の動作を説明する側面断面図である。なお、上述の第１実施例と同一の部分には同一の符号を付し、同一の構成に関する説明は省略する。
【００２５】
本実施例において、イジェクト釦操作手段４１は、ケース体３に一体成形された釦操作部４２と、ケース体３のディスク挿入口１４側に固定されたクッション４３（弾性部材）よりなる。
【００２６】
光ディスクＤがディスク収容ケース４０に収容されている状態において、この光ディスクＤをディスク装置１０１にローディングする際には、ディスク収容ケース４０の前面をディスク装置１０１の前面に対向させ、ディスク収容ケース４０の前面に設けられたガイド部１６をディスク装置１０１のディスク挿入スリット１０３に係合させる。これにより、ディスク収容ケース４０のディスク挿入口１４とディスク装置１０１のディスク挿入スリット１０３の位置が一致する。続いて、操作者が、排出レバー８の排出操作部８ａを押圧することにより、排出レバー８の排出駆動部８ｂが光ディスクＤを押圧駆動し、光ディスクＤはホルダ５，６を外側へ変形させつつディスク装置１０１へ向けて移動する。そして、光ディスクＤの約半分がディスク装置１０１内に挿入された時点で、ディスク装置内のローディング機構が作動して、以後、光ディスクＤはローディング機構により自動的にディスク装置内にローディングされる。なお、この時、図１２（Ｂ）に示すように、イジェクト釦操作手段４１は、クッション４３の厚みにより釦操作部４２がディスク装置１０１のイジェクト釦１０５から離間しているので、ディスク装置１０１のイジェクト釦１０５が操作されることはない。
【００２７】
また、ディスク装置１０１内の光ディスクＤをイジェクトさせ、ディスク収容ケース４０内に収容する際には、ディスク収容ケース４０の前面をディスク装置１０１の前面に対向させ、ディスク収容ケース４０の前面に設けられたガイド部１６をディスク装置１０１のディスク挿入スリット１０３に係合させる。これにより、ディスク収容ケース１のディスク挿入口１４とディスク装置１０１のディスク挿入スリット１０３の位置が一致し、釦操作部４２がイジェクト釦１０５に対向する。そして、操作者がディスク収容ケース４０をディスク装置１０１に向けて押し付けると、クッション４３がディスク収容ケース４０の前面とディスク装置１０１の前面との間で圧縮されて変形し、図１２（Ｂ）に示すように、イジェクト釦操作手段４１の釦操作部４２がディスク装置１０１のイジェクト釦１０５を押圧操作する。これにより、ディスク装置１０１内のローディング機構が作動し、光ディスクＤがディスク装置１０１からイジェクトされて、光ディスクＤの約半分がディスク収容ケース４０に収容される。この後、操作者は光ディスクＤが半分収容されたディスク収容ケース４０をディスク装置１０１から引き離し、光ディスクＤの外周縁を押圧する。これにより、光ディスクＤがホルダ５，６を外側へ変形させつつ矢印Ｂ方向に移動し、続いて、外側へ変形したホルダ５，６が、自身の弾性復元力によって内側に変位することにより、光ディスクＤが更に矢印Ｂ方向に引き込まれ、図１１（Ｂ）に示すように光ディスクＤ全体がディスク収容ケース４０内に収容される。
【００２８】
第２実施例のディスク収容ケース４０によれば、第１実施例の効果に加え、イジェクト釦操作手段が釦操作可能な状態であるのか釦操作が不可能な状態であるのかを確認する必要がないので作業性が向上するという利点、及び部品点数が少なくコスト低減に有利であるという利点を有する。
【００２９】
〔変形例〕
次に、上述した第１実施例及び第２実施例の変形例について、図１３を参照して説明する。変形例では、ディスク収容ケース１，４０の前面に設けられていたガイド部１６に代えて、ガイド部５１，５２を設けている。ガイド部５１，５２はケース体３に一体に成形されており、ガイド部５１はディスク挿入口１４の左右両側に設けられ、ガイド部５２はディスク挿入口１４の上下に設けられている。一方、ディスク装置１０１´の前面には、ディスク挿入スリット１０３の左右両側にガイド部５１が係合する凹部１１２が形成され、ディスク挿入スリット１０３の上下にガイド部５２が係合する凹部１１３が形成されている。
【００３０】
そして、ディスク収容ケース１，４０に収容されている光ディスクＤをディスク装置１０１´にロードさせる際、ならびに、ディスク装置１０１´内の光ディスクＤをイジェクトさせてディスク収容ケース１，４０内に収容させる際には、ディスク収容ケース１，４０の前面をディスク装置１０１´の前面に対向させ、ディスク収容ケース１，４０の前面に設けられたガイド部５１，５２をディスク装置１０１´の前面に設けられた凹部１０７，１０８に係合させる。これにより、ディスク収容ケース１，４０のディスク挿入口１４とディスク装置１０１´のディスク挿入スリット１０３の位置が一致する。
【００３１】
この変形例の構成によれば、各実施例の効果に加え、ケース体１０３の幅方向中央部分に反りがあったとしても、ガイド突起５２を凹部１１３に係合させることによりこの反りを矯正することができるという利点を有する。
【００３２】
以上、本発明の実施形態について説明したが、本発明は図面に示された実施形態に限定されることなく、本発明の技術的思想に基づいて各種の変更が可能である。例えば、上述の実施例では、イジェクト釦操作手段の釦操作部をケース体の幅方向の一部分にのみ設けた構成を示したが、イジェクト釦操作手段の釦操作部をケース体の幅方向全体に渡るように設けてもよい。このような構成とすれば、ディスク装置のイジェクト釦の位置がディスク装置の左右方向どの位置に設けられていたとしても、イジェクト釦操作手段によりイジェクト釦を操作することが可能となる。
【図面の簡単な説明】
【００３３】
【図１】本発明の実施形態にかかるディスク収容ケースの外観を示す斜視図である。
【図２】図１のディスク収容ケースを示す分解斜視図である。
【図３】イジェクト釦操作手段の構成を示す分解斜視図である。
【図４】イジェクト釦操作手段の釦操作可能状態を説明する図である。
【図５】イジェクト釦操作手段の非操作状態を説明する図である。
【図６】ディスク装置を示す斜視図である。
【図７】ディスク装置を説明する平面図である。
【図８】ディスク収容ケースが光ディスクを収容している状態を示す平面図である。
【図９】ディスク収容ケースの動作を説明する図である。
【図１０】ディスク収容ケースの動作を説明する図である。
【図１１】本発明の第２実施例の構成を説明する図である。
【図１２】本発明の第２実施例の動作を説明する図である。
【図１３】本発明の変形例を説明する図である。
【図１４】従来のディスク収容ケースの構成を説明する図である。
【符号の説明】
【００３４】
１・・・・・・ディスク収容ケース
３・・・・・・ケース体
５，６・・・・ホルダ
８・・・・・・排出レバー
１０・・・・・イジェクト釦操作手段
１２・・・・・ディスク収容部
１４・・・・・ディスク挿入口
１６・・・・・ガイド部
１８・・・・・釦操作部材
２０・・・・・操作部材
４１・・・・・イジェクト釦操作手段
４２・・・・・釦操作部
４３・・・・・クッション
１０１・・・・ディスク装置
１０３・・・・スリット
１０５・・・・イジェクト釦
Ｄ・・・・・・光ディスク
【図１】
2006179077.tif 000003
【図２】
2006179077.tif 000004
【図３】
2006179077.tif 000005
【図４】
2006179077.tif 000006
【図５】
2006179077.tif 000007
【図６】
2006179077.tif 000008
【図７】
2006179077.tif 000009
【図８】
2006179077.tif 000010
【図９】
2006179077.tif 000011
【図１０】
2006179077.tif 000012
【図１１】
2006179077.tif 000013
【図１２】
2006179077.tif 000014
【図１３】
2006179077.tif 000015
【図１４】
2006179077.tif 000016